(57)【要約】      （修正有）【課題】シートの縁域が確実にシート搬送ドラム上で保持され、公知先行技術の欠点が少なくとも低減され、より高い機械稼働率が達成される、シート搬送ドラムおよびシート印刷機を提供する。【解決手段】シート搬送ドラムは、シート載置面を備え、各シート載置面は、セグメント歯部（１４）を有する第１のおよび第２の櫛歯セグメント（１１，１２）から形成されており、両方の櫛歯セグメントのうちの少なくとも１つの櫛歯セグメントは、シートサイズに適合するために回動可能に支持されている。第１の櫛歯セグメント（１１）に、機械式の前縁グリッパ（１５）が取り付けられており、第２の櫛歯セグメント（１２）に、空圧式の後縁グリッパ（１９）が取り付けられている。【選択図】図１
2016210621.tif 000002
【特許請求の範囲】
【請求項１】
シートを処理する機械（１００）のシート搬送ドラム（１０）であって、
少なくとも１つのシート載置面を備え、各シート載置面（２１）は、セグメント歯部（１４）を有する第１の櫛歯セグメント（１１）とセグメント歯部（１４）を有する第２の櫛歯セグメント（１２）とから形成されており、両方の前記櫛歯セグメント（１１，１２）のうちの少なくとも１つの櫛歯セグメントは、シートサイズに適合するために回動可能に支持されており、前記第１の櫛歯セグメント（１１）に、機械式の前縁グリッパ（１５）が取り付けられており、前記第２の櫛歯セグメント（１２）に、空圧式の後縁グリッパ（１９）が取り付けられている、シート搬送ドラムにおいて、
前記第２の櫛歯セグメント（１２）に機械式の後縁グリッパ（１５）が配置されており、該機械式の後縁グリッパ（１５）は、非作動化可能であることを特徴とする、シート搬送ドラム。
【請求項２】
前記空圧式の後縁グリッパ（１９）は、前記機械式の後縁グリッパ（１５）と前記セグメント歯部（１４）の先端部との間に配置されている、請求項１記載のシート搬送ドラム。
【請求項３】
前記空圧式の後縁グリッパ（１９）または前記機械式の後縁グリッパ（１５）がそれぞれ搬送すべきシート（１０００）の後縁に対して位置合わせ可能であるように、当該シート搬送ドラム（１０）は、前記第１の櫛歯セグメント（１１）に対して相対的に前記第２の櫛歯セグメント（１２）を回動（Ｓ）させるための調整装置（２２）を備える、請求項１または２記載のシート搬送ドラム。
【請求項４】
前記調整装置（２２）は、前記第２の櫛歯セグメント（１２）と接続された位置調節駆動装置と制御ユニットとを備える、請求項３記載のシート搬送ドラム。
【請求項５】
前記機械式の後縁グリッパ（１５）および／または前記機械式の前縁グリッパ（１５）は、当該シート搬送ドラム（１０）の幅にわたって延在する、グリッパ（１６，１７）が取り付けられたグリッパブリッジを備える、請求項１から４までのいずれか１項記載のシート搬送ドラム。
【請求項６】
各グリッパは、グリッパ舌片（１７）とグリッパ載置部（１６）とを備え、該グリッパ舌片（１７）は、平たく形成されている、請求項５記載のシート搬送ドラム。
【請求項７】
前記空圧式の後縁グリッパ（１９）は、吸込溝（２０）として構成されている、請求項１から６までのいずれか１項記載のシート搬送ドラム。
【請求項８】
当該シート搬送ドラム（１０）は、噴射胴である、請求項１から７までのいずれか１項記載のシート搬送ドラム。
【請求項９】
請求項１から８までのいずれか１項記載のシート搬送ドラムを備えるシート印刷機、特にシート搬送ドラム（１０）の上に配置されたインクジェットヘッド（４）を備えるデジタル印刷機（１００）。
【発明の詳細な説明】
【技術分野】
【０００１】
本発明は、請求項１の上位概念の構成を有するシート搬送ドラムおよび請求項９に記載の構成を有するシート印刷機に関する。
【０００２】
背景技術
少量の部数でまたは独特の印刷柄で紙、厚紙、ボール紙から成るシートに印刷を行うために、デジタル印刷機を使用することが知られている。シートに印刷を行うためにインクジェットヘッドを使用する場合、各シートは、搬送システムにより、最小間隔を置いてインクジェットヘッドの下方を通過させられる。搬送システムとして、たとえば吸込ベルトとして構成された、循環走行する搬送ベルトと、回転する胴、いわゆる噴射胴または循環走行するトレーが知られている。
【０００３】
胴を使用する機械構想では、たとえば米国特許出願公開第２００９０２８４５６１号明細書に記載されているように、噴射胴の上側に複数のインクジェット印刷ヘッドが配置されており、インクジェット印刷ヘッドは、わずかな間隔を置いて印刷ヘッドの傍を通過させられるシートに印刷を行う。噴射胴上で、複数のシートを同時に吸着して搬送することができる。
【０００４】
高い印刷品質を確保しつつ、印刷ヘッドの損傷を回避するために、各シートを良好に噴射胴に載置することが重要である。シートが確実に載置しておらず、たとえば折れ込み（ドッグイヤー）が突出している場合、これは印刷ヘッドを損傷するおそれがある。これを回避するために、印刷機に検出装置を設けて角隅または縁が起立している場合に印刷機を素早く停止させることが知られている。しかし、これにより、印刷機の性能が大幅に低減される。
【０００５】
シートを案内するために、たとえば独国特許出願公開第４２２１０４６号明細書、独国特許出願公開第１０１０２２２６号明細書および欧州特許出願公開第１４１５８０４号明細書において、搬送すべきシートを保持するグリッパシステムを備えるシート搬送ドラムが公知である。
【０００６】
発明が解決しようとする課題
したがって本発明の課題は、シートの縁域が確実にシート搬送ドラム上で保持され、公知先行技術の欠点が少なくとも低減され、より高い機械稼働率が達成される、シート搬送ドラムおよびシート印刷機を提供することである。
【０００７】
この課題は、請求項１の特徴を有するシート搬送ドラムおよび請求項９の特徴を有するシート印刷機により解決される。
【０００８】
本発明による、シートを処理する機械のシート搬送ドラムは、特に吸込空気を供給可能な吸込開口を有する、少なくとも１つのシート載置面を備え、各シート載置面は、セグメント歯部を有する第１のおよび第２の櫛歯セグメントから形成されており、両方のセグメントの歯部は、互いに内外に噛み合い、両方の櫛歯セグメントのうちの少なくとも１つの櫛歯セグメントは、シートサイズ、つまりシート長さにシート載置面を適合させるために回動可能に支持されている。第１の櫛歯セグメントは、機械式の前縁グリッパを備え、第２の櫛歯セグメントは、それぞれのシートを保持するための空圧式の後縁グリッパを備える。本発明では、第２の櫛歯セグメントに、機械式の後縁グリッパもさらに配置されている。これにより、好適には、シートの後縁の極めて確実な機械式の押さえが可能になる、または、シートの後縁が空圧式に押さえられるとき、シートの縁なし印刷が可能になる。第２の櫛歯セグメントに機械式の後縁グリッパを好適に配置することにより、既存の、サイズ調整および機械式の後縁グリッパの当接解除のための位置調節機構を利用することができる。
【０００９】
本発明に係るシート搬送ドラムの好適な改良態様では、空圧式の後縁グリッパは、機械式の後縁グリッパと、第２の櫛歯セグメントのセグメント歯部の先端部、つまり端部との間に配置されている。
【００１０】
本発明に係るシート搬送ドラムによれば、機械式の後縁グリッパは、非作動化可能である。これは、特にサイズ調整により行うことができる。
【００１１】
好適な態様では、空圧式の後縁グリッパまたは機械式の後縁グリッパがそれぞれ搬送すべきシートの後縁に対して位置合わせ可能であるように、シート搬送ドラムは、第１の櫛歯セグメントに対して相対的に第２の櫛歯セグメントを回動させるための調整装置を備える。換言すると、各シートの後縁は、空圧式の後縁グリッパまたは機械式の後縁グリッパにより押さえられる。調整装置が、第２の櫛歯セグメントと接続された位置調節駆動装置を備えると、特に電気モータとこれに対応して配置された制御ユニットとを備えると、好適であるとみなされる。したがって、調整装置は、サイズ調整にも機械式の後縁グリッパの非作動化にも用いられる。
【００１２】
シート搬送ドラムの改良態様では、機械式の後縁グリッパおよび／または機械式の前縁グリッパは、シート搬送ドラムの幅にわたって延在する、グリッパが取り付けられたグリッパブリッジを備える。この場合、各グリッパは、グリッパ舌片とグリッパ載置部とを備えてよく、グリッパ舌片とグリッパ載置部との間に各シートが挟み込まれる。グリッパ舌片は、特に平たく形成されていてよい、つまり極めて小さな高さを有してよい。これにより、シート搬送ドラムの上に配置された、たとえばインクジェットヘッドなどの加工工具を、シート搬送ドラムに対してわずかな間隔を置いて配置できることが保証される。また、グリッパを沈み込み可能に構成してもよく、これにより衝突のおそれがさらに低減される。
【００１３】
本発明に係るシート搬送ドラムの１つの好適な改良態様では、空圧式の後縁グリッパは、吸込溝として構成されており、吸込溝は、特にシート搬送ドラムの幅にわたって延在してよい。択一的に、吸込孔を用いてもよい。
【００１４】
特に好適でしたがって有利な態様では、シート搬送ドラムは、インクジェットにより印刷が行われるべきシートを保持して搬送する噴射胴である。
【００１５】
本発明は、前述のようなシート搬送ドラムを備えるシート印刷機にも関する。このシート印刷機は、特にシート搬送ドラムに対して間隔を置いて、かつシート搬送ドラムのほぼ上に配置されたインクジェットヘッドを備える、デジタル印刷機として構成してよい。
【００１６】
記載の発明および本発明の記載の好適な改良態様は、技術的に有意義である場合には、互いに組み合わせて本発明の好適な改良態様を成すこともできる。
【００１７】
さらなる利点に関して、かつ本発明の好適な態様の構造的および機能的な観点に関して、従属請求項および添付の図面に関する実施の形態の説明が参照される。
【００１８】
本発明を、添付の図面に基づいてさらに詳しく説明する。相互に対応する構成要素および構成部材には、図面において同一の符号が設けられている。図面を見やすくするために、縮尺通りの図示はしていない。
【図面の簡単な説明】
【００１９】
【図１】ａ，ｂは、シート搬送ドラムの櫛歯セグメントを異なる２つの位置で示す図である。
【図２】シート搬送ドラムの平面図である。
【図３】シート搬送ドラムの側面図である。
【図４】デジタル印刷機を示す図である。
【００２０】
発明を実施するための形態
図４は、デジタル印刷機として構成されたシート印刷機１００である。各シート１０００は、フィーダ１から到来して、搬送方向Ｔで、印刷部２を通ってデリバリ３まで搬送される。この場合、各シート１０００の搬送は、主に胴、つまり渡し胴５と、噴射胴として構成されたシート搬送ドラム１０とを用いて行われる。噴射胴１０は、本態様では、３つのシート載置面２１を有する。噴射胴１０の上に複数のインクジェットヘッド４が配置されており、インクジェットヘッド４は、わずかな間隔を置いて噴射胴１０の傍を通過するシート１０００に印刷を行う。
【００２１】
図１のａ、ｂにおいて、シート搬送ドラム１０の一部、つまり第１の櫛歯セグメント１１および第２の櫛歯セグメント１２が示されており、第１のおよび第２の櫛歯セグメント１１，１２は、シートサイズ（判型）、つまりその都度のシート１０００の長さに合わせてシート載置面を調整するために、移動調節することができる。第１の櫛歯セグメント１１と第２の櫛歯セグメント１２とは、それぞれ複数の歯部１４を備え、歯部１４は、レーキ状に内外に係合するので、第１の櫛歯セグメント１１と第２の櫛歯セグメント１２とは、互いに噛み合う。第２の櫛歯セグメント１２は、回動軸線１３を中心に回動することができ、回動運動Ｓを行う。
【００２２】
第１の櫛歯セグメント１１には、機械式のグリッパ１５が配置されており、グリッパ１５は、シート１０００の前縁を押さえるための機械式の前縁グリッパとして構成されている。第２の櫛歯セグメント１２は、空圧式のグリッパ１９だけではなく機械式のグリッパ１５も備える。図１のａに示されているように、第２の櫛歯セグメント１２は、第１の櫛歯セグメント１１に対して相対的に回動させられるので、機械式のグリッパ１５は、シート１０００の後縁を押さえる。第２の櫛歯セグメント１２の空圧式のグリッパ１９は、シート１０００の後縁に直接には作用せず、シート１０００の後方部分だけに作用する。
【００２３】
シート１０００の後縁を機械式の後縁グリッパ１５により押さえるのではなく、空圧式のグリッパ１９により押さえようとするとき、第２の櫛歯セグメント１２は、第１の櫛歯セグメント１１に対して相対的にさらに時計回り方向で回動Ｓさせられ、これにより機械式の後縁グリッパ１５が非作動化され、空圧式のグリッパ１９が、シート後縁の領域に位置決めされる。回動運動Ｓは、電気モータと制御ユニットとを備える調整装置２２によりもたらされる。調整装置２２は、シートサイズに合わせた、櫛歯セグメント１１，１２の歯部１４により形成されたシート載置面２１の調整にも用いられる。
【００２４】
図２には、シート搬送ドラム１０が平面図で示されている。この平面図において、シート搬送ドラム１０が少なくとも１つの第１の櫛歯セグメント１１と少なくとも１つの櫛歯セグメント１２とを備え、第２の櫛歯セグメント１２が、搬送すべきシート１０００の様々なサイズ長さにシート搬送ドラム１０を適合させるために、シート搬送ドラムの１０の中心軸線に相当する回動軸線１３を中心に、第１の櫛歯セグメント１１に対して相対的に回動もしくは揺動可能に支持されていることが看取される。各櫛歯セグメント１１，１２は、歯部１４を備え、歯部１４は、それぞれ別の櫛歯セグメント１２，１１の複数の歯部１４の間の中間スペースに係合する。
【００２５】
第１の櫛歯セグメント１１へ向かう第２の櫛歯セグメント１２の、比較的小さなシートサイズへの適合に用いられる調節移動では、中間スペースへ歯部１４がより深く進入させられ、したがって中間スペースが狭窄される。比較的大きなシートサイズへの適合は、第１の櫛歯セグメント１１から離れて第２の櫛歯セグメント１２が調節移動することにより行われ、これは、結果として中間スペースの拡張を生じさせる。
【００２６】
シート搬送ドラム１０のグリッパシステム１５は、第１の櫛歯セグメント１１の前縁に配置されたグリッパ載置部１６と、グリッパ載置部１６に対応して配置された、被印刷物シートを挟み込むもしくは覆うグリッパ舌片１７とを備える。第２の櫛歯セグメント１２には、被印刷物シート１０００の後縁を吸着するノズル状のサッカ１８が列を成して配置されており、サッカ１８は、吸込空気源（図示されていない）に接続されている。サッカノズル１８に対して択一的に、吸込溝を使用してもよい。シート搬送ドラム１０のグリッパシステム１５は、第２の櫛歯セグメント１２の後縁に配置されたグリッパ載置部１６と、グリッパ載置部１６に対応して配置された、被印刷物シートを挟み込むグリッパ舌片１７とを備える。したがって機械式の前縁グリッパ１５、機械式の後縁グリッパ１５および空圧式の後縁グリッパ１９が存在する。サイズ長さに応じた、グリッパシステム１５とサッカ１８との間の必要な間隔を調整するために、後者は、第２の櫛歯セグメント１２とともに、回動軸線１３を中心に、第１の櫛歯セグメント１１のグリッパシステム１５に対して相対的に、サッカ１８がグリッパシステムに保持された被印刷物シートの後縁の傍で被印刷物シートの下に位置する位置に回動させられる。前述のように、シート１０００の後縁が機械式の後縁グリッパ１５により保持されるようなサイズ調整を行うこともできる。
【００２７】
第１の櫛歯セグメント１１および第２の櫛歯セグメント１２に吸込溝２０を設けてもよく、吸込溝２０は、シート１０００の良好な載置を確保する。
【００２８】
図３には、図２のシート搬送ドラム１０が側方からみた断面図で示されている。
【符号の説明】
【００２９】
１  フィーダ
２  印刷部
３  デリバリ
４  インクジェットヘッド
５  渡し胴
１０  シート搬送ドラム（噴射胴）
１１  第１の櫛歯セグメント
１２  第２の櫛歯セグメント
１３  回動軸線
１４  歯部
１５  機械式のグリッパ
１６  グリッパ載置部
１７  グリッパ舌片
１８  サッカノズル
１９  空圧式のグリッパ
２０  吸込溝
２１  シート載置面
２２  調整装置
１００  デジタル印刷機
１０００  シート
Ｓ  回動運動
Ｔ  搬送方向
【図１】
2016210621.tif 000003
【図２】
2016210621.tif 000004
【図３】
2016210621.tif 000005
【図４】
2016210621.tif 000006